(57)【要約】【課題】触媒型フィルタ素子と吸着型フィルタ素子とを併用した高性能な異臭除去システムを装備していても、定着装置等の交換に際してフィルタ素子を交換しなくて済む画像形成装置を提供する。【解決手段】定着装置１１７に設けられたヒューズが最初の使用で溶断する。起動時にヒューズの導通が検出されると、エアフロー切り換え弁２１３を吸着系フィルタ２０８側に切り換えて、最初の起動における吸着系フィルタ２０８による揮発性有機化合物の除去に備える。ヒューズの溶断（最初の起動）後のプリント累積枚数が１２．５万枚に達すると、エアフロー切り換え弁を触媒系フィルタ２０９側に切り換えて触媒系フィルタ２０９による揮発性有機化合物の除去を開始し、その後、プリント累積枚数が５０万枚に達すると定着装置１１７の交換の警告を操作パネルに表示する。【選択図】図５
2011095629.tif 000002
【特許請求の範囲】
【請求項１】
像加熱装置と、前記像加熱装置に加熱された空気を取り込んで機体外へ案内する排気経路とを備えた画像形成装置において、
前記排気経路を流れる空気に接触可能に配置されて当該空気中の異臭物質を分解する第１のフィルタ手段と、
前記排気経路を流れる空気に接触可能に配置されて当該空気中の異臭物質を吸着する第２のフィルタ手段と、
前記排気経路を流れる空気から前記第２のフィルタ手段を遮蔽可能な遮蔽手段と、を備え、
前記第２のフィルタ手段を遮蔽した状態での前記第１のフィルタ手段による前記異臭物質の除去を実行可能であることを特徴とする画像形成装置。
【請求項２】
前記像加熱装置の運転に伴って加熱される部材が交換されたことを検出する検出手段と、
前記遮蔽手段を制御して、少なくとも前記部材が交換された後の起動時に前記排気経路を流れる空気に前記第２のフィルタ手段を接触させる制御手段を備えたことを特徴とする請求項１記載の画像形成装置。
【請求項３】
前記検出手段は、前記像加熱装置に付設されて最初の起動時に溶断する温度ヒューズの導電状態を検出する回路であることを特徴とする請求項２記載の画像形成装置。
【請求項４】
前記制御手段は、前記部材が交換されて所定期間が経過すると前記第２のフィルタ手段を遮蔽して前記排気経路を流れる空気に接触させないことを特徴とする請求項２又は３記載の画像形成装置。
【請求項５】
前記第１のフィルタ手段が配置された第１の排気経路と、前記第２のフィルタ手段が配置された第２の排気経路とを有し、
前記遮蔽手段は、前記第１の排気経路と前記第２の排気経路とを切り換える切り換え機構であることを特徴とする請求項１乃至４いずれか１項記載の画像形成装置。
【請求項６】
前記第１のフィルタ手段は、異臭物質を分解する触媒作用を有することを特徴とする請求項１乃至５いずれか１項記載の画像形成装置。
【発明の詳細な説明】
【技術分野】
【０００１】
本発明は、像加熱装置の起動時に発生する異臭物質を機体外へ排出させないためのフィルタ素子を備えた画像形成装置、詳しくは、異臭物質を吸収するフィルタ素子を長持ちさせる制御に関する。
【背景技術】
【０００２】
トナー像を転写された記録材を加熱加圧して画像を定着させる定着装置を備えた画像形成装置が広く用いられている。定着装置は、半定着又は定着済み画像を加熱加圧して所定の表面状態に仕上げる表面仕上げ装置等を含めて像加熱装置と呼ばれる。
【０００３】
定着装置は、通常、定着ローラ等の部材が２００℃近い温度まで加熱されるため、放置すると機体内の温度が上昇して正常な画像形成を継続できなくなる。このため、画像形成装置には、像加熱装置に加熱された空気を取り込んで機体外へ案内する排気経路が設けられ、排気経路には排気ファンを設けて、取り込んだ空気を機体外へ強制排気している。
【０００４】
定着装置は、また、定着ローラ等の部材が２００℃近い温度まで加熱され、起動時には、部品の一部が５００℃を超えるような温度に晒されることもある。そのため、定着装置の運転に伴って、部品に付着したオイル等の揮発物質が蒸発したり、樹脂部品が加熱されたりして、異臭物質が発生することがある。特に新品の画像形成装置の最初の起動時、あるいは定着装置を新品交換した後の最初の起動時には、強い異臭がする場合がある。
【０００５】
そこで、画像形成装置の排気経路に異臭物質を吸着するフィルタ素子を設け、フィルタ素子を貫通して異臭物質を減らした異臭の無い空気を機体外へ排出している（特許文献１、２）。
【０００６】
特許文献１には、像加熱装置に加熱された空気を取り込んで機体外へ案内する排気経路にホルムアルデヒド吸着フィルタを配置した画像形成装置が示される。ホルムアルデヒドは、樹脂成型部品の加熱や、トナーの溶融に伴って発生し、かなり希薄な濃度でも不快な異臭を感じさせるからである。ホルムアルデヒド吸着フィルタは、ホルムアルデヒド吸着繊維のマットを通常のフィルタ・マットに重ねて一体に形成されている。
【０００７】
特許文献２には、排気経路に吸着型フィルタと触媒型フィルタとを直列に配置して揮発性有機化合物（ＶＯＣ：後述）を除去するようにした画像形成装置が示される。ここでは、吸着型フィルタで濃度を低下させた揮発性有機化合物を触媒型フィルタに透過させることで高い除去効率を達成している。
【先行技術文献】
【特許文献】
【０００８】
【特許文献１】特開２００３−１８６３２４号公報
【特許文献２】特開２００６−１１９３１３号公報
【発明の概要】
【発明が解決しようとする課題】
【０００９】
特許文献１に示されるホルムアルデヒド吸着フィルタは、排気経路に配置して使用し続けると、時間がたつに従ってホルムアルデヒドの吸着性能が低下する。このため、最初の定着装置で使用し続けて定着装置が新品交換されると、最初のままのホルムアルデヒド吸着フィルタでは、使用初期の期間に発生する濃度の高いホルムアルデヒドを十分に吸収できない。その結果、画像形成装置から室内へ異臭が漏れ出してしまう。
【００１０】
一般的に、物質を吸着して保持する活性炭や吸着型フィルタ素子は、吸着できる物質の最大容量が限られているし、組織中の吸着し易い場所から物質の吸着が進むため、時間が経つほど物質の吸着性能が低下する。このため、吸着型フィルタ素子は、初期の吸着性能が高いほど使用可能な寿命が短くなり、寿命が長いほど初期の吸着性能が低くなる傾向がある。吸着型フィルタ素子は、厚みを増せば、厚み分、物質の吸着容量が増して初期の吸着性能と長寿命とを両立できるが、排気経路の流路抵抗が大きくなって、排気ファンの大型化、運転騒音の増大を招いてしまう。
【００１１】
ところで、近年、触媒作用を持つ触媒型フィルタ素子が実用化されている。触媒型フィルタ素子は、触媒物質それ自身は変化することなく、異臭物質の分子を分解することで空気から異臭物質を除去する。このため、吸着型フィルタほどには、異臭物質の処理容量が限られず、分解された物質が触媒物質の邪魔をしない限り、時間が経つほど物質の除去性能が低下することもない。
【００１２】
しかし、触媒型フィルタ素子は、吸着型フィルタ素子に比較して処理効率が低く、多くの異臭物質をそのまま通過させてしまうため、高濃度の異臭物質が供給されると十分な異臭除去効果が得られない。
【００１３】
そこで、特許文献２に倣って、触媒型フィルタ素子に吸着型フィルタ素子を貼り合わせて二重構造の複合フィルタ素子とすることが提案された。これにより、排気経路の流路抵抗を小さくしても、定着装置の使用開始後の初期期間に排出される高濃度のホルムアルデヒドに対しても十分な異臭除去性能があることが確認された。しかし、上述したように、吸着型フィルタ素子が早期に吸着性能を喪失してしまうため、定着装置が交換された際にはもはや満足な異臭除去性能を発揮できない。
【００１４】
そのため、図１１の（ｂ）に示すように、定着装置を交換するごとに、触媒型フィルタ素子は性能低下していないにもかかわらず、吸着型フィルタ素子の性能低下のために複合フィルタ素子を交換する必要があった。交換を前提として、筐体構造を開いて外部から複合フィルタ素子を着脱するための特別な構造を排気経路に設ける必要があった。
【００１５】
本発明は、触媒型フィルタ素子と吸着型フィルタ素子とを併用した高性能な異臭除去システムを装備していても、定着装置等の交換に際してフィルタ素子を交換しなくて済む画像形成装置を提供することを目的としている。
【課題を解決するための手段】
【００１６】
本発明の画像形成装置は、像加熱装置と、前記像加熱装置に加熱された空気を取り込んで機体外へ案内する排気経路とを備えたものである。そして、前記排気経路を流れる空気に接触可能に配置されて当該空気中の異臭物質を分解する第１のフィルタ手段と、前記排気経路を流れる空気に接触可能に配置されて当該空気中の異臭物質を吸着する第２のフィルタ手段と、前記排気経路を流れる空気から前記第２のフィルタ手段を遮蔽可能な遮蔽手段とを備え、前記第２のフィルタ手段を遮蔽した状態での前記第１のフィルタ手段による前記異臭物質の除去を実行可能である。
【発明の効果】
【００１７】
本発明の画像形成装置では、遮蔽手段を作動させることで、像加熱装置に加熱された空気の流れから第２のフィルタ手段を遮蔽して、異臭物質の吸着進行を遅らせることができる。像加熱装置に加熱された空気に含まれる異臭物質の濃度が高いときには、第２のフィルタ手段を用いて、異臭物質を異臭が気にならない水準まで高能率に吸着除去させる選択が可能である。一方、像加熱装置に加熱された空気に含まれる異臭物質の濃度が低くなった後は、第１のフィルタ手段を用いて、異臭物質を異臭が気にならない水準まで分解除去させる選択が可能である。このとき、第２のフィルタ手段における異臭物質の吸着進行は停止（低下）しているため、第２のフィルタ手段の異臭物質の吸着性能が温存され、次回の濃度の高い排出に備えることができる。
【００１８】
従って、触媒型フィルタ素子と吸着型フィルタ素子とを併用した高性能な異臭除去システムを装備していても、定着装置等の交換に際してフィルタ素子を交換しなくて済む。
【図面の簡単な説明】
【００１９】
【図１】画像形成装置の構成の説明図である。
【図２】定着装置の構成の説明図である。
【図３】排気経路の配置の説明図である。
【図４】排気経路の斜視図である。
【図５】排気経路の動作の説明図である。
【図６】切り換え装置の説明図である。
【図７】吸着系フィルタと触媒系フィルタの性能比較の説明図である。
【図８】画像形成装置の制御系の構成を示すブロック図である。
【図９】エアフロー制御系の構成を示すブロック図である。
【図１０】実施例２の制御のフローチャートである。
【図１１】実施例２の制御の効果の説明図である。
【図１２】実施例３のフィルタ切り換え装置の構成の説明図である。
【発明を実施するための形態】
【００２０】
以下、図面を参照して本発明の実施形態を詳細に説明する。本発明は、吸着型フィルタを遮蔽して異臭除去性能を温存可能である限りにおいて、実施形態の構成の一部または全部を、その代替的な構成で置き換えた別の実施形態でも実施できる。
【００２１】
従って、交換後の最初の運転で異臭が発生する像加熱装置を備えた画像形成装置であれば、像加熱装置及び画像形成装置の個別の形態や制御には限られない。像加熱装置は、ローラ・ローラ型、ローラ・ベルト型、ベルト・ベルト型のいずれでもよく、画像形成装置は、モノクロ、フルカラー、タンデム型、１ドラム型、中間転写方式、記録材搬送方式、直接転写方式の区別無く実施できる。本実施形態では、トナー像の形成／転写に係る主要部のみを説明するが、本発明は、必要な機器、装備、筐体構造を加えて、プリンタ、各種印刷機、複写機、ＦＡＸ、複合機等、種々の用途で実施できる。
【００２２】
なお、特許文献１に示される画像形成装置、定着装置、フィルタ素子の一般的な事項については、図示を省略して重複する説明を省略する。
【００２３】
＜画像形成装置＞
図１は画像形成装置の構成の説明図である。原稿読取装置２０には、原稿給送装置１３０が搭載されている。原稿給送装置１３０は、原稿トレイ１３１に上向きセットされた原稿を先頭ページから順に１枚ずつ給紙してプラテンガラス１０２上を左から読取り位置を経て右へ搬送して排紙トレイ１３２に排出する。原稿がプラテンガラス１０２上を左から右へ通過するときに、原稿下面の画像は、読取り位置に保持されたスキャナユニット１０４により読取られる。原稿の読取り面がスキャナユニット１０４のランプ１０３の光で照射され、原稿からの反射光がミラー１０５、１０６、１０７を介してレンズ１０８に導かれる。レンズ１０８を通過した光は、イメージセンサ１０９の撮像面に結像する。
【００２４】
原稿の搬送方向に対して直交する方向を主走査方向とし、シート搬送方向を副走査方向とする。イメージセンサ１０９によって主走査方向に原稿画像を１ライン毎に読取りながら、原稿を副走査方向に搬送することによって、原稿の画像全体が読取られる。イメージセンサ１０９が光学的に読取った画像は、画像データに変換されて、所定の処理が施された後に、ビデオ信号として制御部へ入力される。
【００２５】
なお、原稿給送装置１３０により原稿をプラテンガラス１０２上に搬送して所定位置に停止させ、この状態でスキャナユニット１０４を左から右へ走査させることにより原稿下面の画像を読取ることも可能である。
【００２６】
図１に示すように、画像形成装置１００は、感光ドラム１１１の周囲に、コロナ帯電器１１２、露光装置１１０、現像装置１１３、転写帯電器１１６、ドラムクリーニング装置１１４を配置している。感光ドラム１１１は、アルミニウムシリンダの外周面に負極性の帯電極性の感光層が形成され、所定のプロセススピードで矢印Ｒ１方向に回転する。
【００２７】
コロナ帯電器１１２は、コロナ放電に伴う荷電粒子を感光ドラム１１１に照射して、感光ドラム１１１の表面を一様な負極性の暗部電位ＶＤに帯電させる。露光装置１１０は、入力画像を展開した走査線画像データをＯＮ−ＯＦＦ変調したレーザービームを回転ミラーで走査して、帯電した感光ドラム１１１の表面に画像の静電像を書き込む。現像装置１１３は、磁性トナーの一成分現像剤を用いて、感光ドラム１１１の静電像（露光部）にトナーを付着させて、トナー像を反転現像する。
【００２８】
転写帯電器１１６は、感光ドラム１１１に重なって転写部Ｔ１を通過する記録材Ｐに、コロナ放電に伴う荷電粒子を照射して正極性に帯電させ、感光ドラム１１１から記録材Ｐへトナー像を転写させる。記録材カセット１１５から引き出された記録材Ｐは、分離ローラ１１８で１枚ずつに分離してレジストローラ１１９へ送り出される。レジストローラ１１９は、停止状態で記録材Ｐを受け入れて待機させ、感光ドラム１１１のトナー像にタイミングを合わせて記録材Ｐを転写部Ｔ１へ送り込む。
【００２９】
トナー像を転写された記録材Ｐは、定着装置１１７で加熱加圧を受けて表面にトナー像を定着された後に、排出ローラ１２１により積載トレイ１２２へ排出される。ドラムクリーニング装置１１４は、感光ドラム１１１にクリーニングブレードを摺擦させて、記録材Ｐへの転写を逃れて感光ドラム１１１に残った転写残トナーを回収する。
【００３０】
記録材Ｐをその画像形成面が下向きになる状態（フェイスダウン）で排出するときには、記録材Ｐを定着装置１１７から反転パス１２４へ送り込んでスイッチバックさせて排出ローラ１２１へ導く。このような反転排紙は、先頭ページから順に画像形成するときに行われ、積載トレイ１２２へ記録材Ｐが順序正しいページ順で積載される。
【００３１】
また、ＯＨＰシートなどの硬い記録材Ｐは、不図示の手差給紙部から給紙され、トナー像の転写・定着後、記録材Ｐは、反転パス１２４へ導かれることなく、画像面を上向きにした状態（フェイスアップ）で積載トレイ１２２へ積載される。
【００３２】
さらに、シートの両面に画像形成を行う場合、トナー像の転写・定着後、記録材Ｐは、排出ローラ１２１で後端をニップした状態で停止する。そして、記録材Ｐの進行方向を反転してスイッチバックさせ、進路切り換え部材の切換動作により記録材Ｐを両面搬送パス１２４へ搬送する。その後、両面搬送パス１２４へ導かれた記録材Ｐを表裏反転状態で再度、転写部Ｔ１へ給送する。
【００３３】
＜定着装置＞
図２は定着装置の構成の説明図である。図３は排気経路の配置の説明図である。
【００３４】
図２に示すように、定着装置１１７は、定着ローラ１４１に加圧ローラ１４３を圧接して記録材Ｐの加熱ニップＮを形成する。定着ローラ１４１の中心軸を貫通させて、定着ローラ１４１の内壁面を赤外線加熱する熱源としてのハロゲンランプヒータ１４２が非回転に配置されている。
【００３５】
定着ローラ１４１の表面に接触させて温度センサ（接触式サーミスタ）１４５が配置されている。温度調整回路１４６は、温度センサ１４５によって検出される定着ローラ１４１の表面温度が、所定の目標温度（例えば１８０℃）に収束するように、ハロゲンランプヒータ１４２をＯＮ−ＯＦＦ制御する。
【００３６】
定着ローラ１４１は、外径がφ４０ｍｍのストレート形状のローラである。定着ローラ１４１は、両端を回転可能に支持された厚さ０．８ｍｍ軟鋼の円筒材料の表面に３０μｍ厚さのＰＦＡチューブからなる離型層を被覆して構成される。
【００３７】
加圧ローラ１４３は、回転駆動される定着ローラ１４１に当接して従動回転する。加圧ローラ１４３は、外径φ２０ｍｍの軟鋼の棒材の周囲にシリコンゴムからなる弾性層を設け、弾性層の表面を５０μｍ厚さのＰＦＡチューブからなる離型層で被覆して直径３５ｍｍに形成されている。加圧ローラ１４３は、長手方向の両端に配置した不図示の加圧機構によって、定着ローラ１４１に対して総圧１０００Ｎ（１００ＫｇＦ）の加圧力が印加されている。
【００３８】
定着装置１１７の運転に伴って、定着ローラ１４１、加圧ローラ１４３、ハロゲンランプヒータ１４２によって加熱された空気が開口部１４７ａ、１４７ｂを通じて排出される。また、定着装置１１７の筐体１４８の壁面を介して外側の空気が加熱される。このため、定着装置１１７による機体内の空気の加温を放置すると、機体内の温度が上昇して正常な画像形成を継続できなくなる。このため、画像形成装置１００には、定着装置１１７に加熱された空気を取り込んで機体外へ案内する排気経路２００が設けられている。
【００３９】
図３に示すように、画像形成装置１００には、様々な排気経路が配置されている。主には冷却、排熱、オゾン、揮発性有機化合物などの浄化、汚れ防止、バキュームによる吸着などである。
【００４０】
排気経路２００は、定着装置１１７の排熱エアフローを形成するもので、定着装置１１７の上部に配置され、定着装置１１７で暖められた空気を機体外に排出する。コロナ帯電器１１２の上部には、ワイヤ電極の汚れを防ぐために、外気をコロナ帯電器１１２に吹き付ける一次ダクト２０４が配置される。排出ローラ１２１の下方には、定着後の記録材Ｐの温度を下げるために、記録材Ｐの下方から記録材ガイドに向けて外気を当てる排紙冷却ダクト２０５が配置されている。その他にも、制御部（電装部）３０５にあるコントローラー基板の回路素子を冷却する制御部冷却ダクト２０６もある。
【００４１】
画像形成装置１００では、従来機よりもプリントスピードの更なる高速化が進められたため、発熱源とされる、モータ、電源ユニット、定着装置１１７等で発生する熱の総量が増加している。その対応のために、画像形成装置１００には、筐体内部空間を冷却するための吸気および排気用のファンやダクトが備えられている。吸気および排気用のファンやダクトによる筐体内のエアーの流れは、室内空間から取り込んだエアーを、発熱源（モータ、電源ユニット、定着装置等）に送り込み、加熱されたエアーを室内空間に排出する。
【００４２】
また、画像形成装置１００において、記録材の両面プリントを行う場合、一方の面にプリントが行われた記録材は、温度の高い定着装置１１７を通過して熱を持った状態で、筐体内を搬送されて周囲を加熱する。これにより画像形成部が昇温するが、この画像形成部に対しても不図示のファンやダクトを用いてエアーを送り込み、除熱に関与して加熱されたエアーを室内空間に排気するようにしている。画像形成装置１００は、室内の労働環境を快適に維持させるために、法規制よりも一段厳しい基準で粉塵や揮発性物質の排出を抑制するように、各所に高性能なフィルタ素子を配置している。
【００４３】
ところで、画像形成装置１００は、外装カバーを始め、記録材ガイド、操作部、プロセスキット、内装カバー、各種ギアなど多くの筐体や機構部品に樹脂部品を使用している。これらの樹脂部品の材料としては、ＡＢＳ（アクリロニトリル・ブタジエン・スチレン）、ＰＳ（ポリスチレン）、ＰＣ（ポリカーボネイト）、ＰＯＭ（ポリアセタール）などを使い分けて使用している。
【００４４】
このため、画像形成装置１００内部の冷却のためのエアーの排気が行われる際に、筐体内の各部で発生する揮発性有機化合物が、画像形成装置を設置した室内空間に排出される。
【００４５】
揮発性有機化合物は、ＶＯＣ（Ｖｏｌａｔｉｌｅ  Ｏｒｇａｎｉｃ  Ｃｏｍｐｏｕｎｄ）と呼ばれ、大気中に気体で存在する有機化合物の総称である。従来から、粉塵や特定有害物質（トルエン、ベンゼン、ホルムアルデヒド等）については排出量が法規制されており、画像形成装置によっては、排気口に集塵フィルタを取り付け、トナー粒子が装置外に排出されないようにしている。
【００４６】
加えて近年、画像形成装置に使用される樹脂部品から発生するごく微量な揮発性有機化合物にも法規制が加えられている。具体的には、ＢＡＭ（Ｂｌｕｅ  Ａｎｇｅｌ  Ｍａｒｋ）規格を始めとする種々の法規制が制定されて揮発性有機化合物の排出量を規制している。画像形成装置から室内空間に排出される粉塵や揮発性有機化合物についても、その種類ごとに総排出量が法規制されているため、画像形成装置１００は、これらの法規制の規格値を満たす設計がされている。
【００４７】
画像形成装置を構成する部品には、従来から樹脂材料が多く用いられている。実際、画像形成装置１００の総部品点数のうち、外装カバー、シートガイド、歯車など、部品点数で約５割〜８割程度の部品に、ＡＢＳ、ＰＳ、ＰＣ＋ＡＢＳ、ＰＰＥ、ＰＯＭ等の樹脂材料が少なくとも一部使用されている。樹脂材料を用いる理由は、金属に比べて、形状の自由度があり、重量が軽いこと等である。
【００４８】
排出量が法規制されている揮発性有機化合物の一部が、画像形成装置１００内で使われているＡＢＳ、ＰＳ、ＰＣ＋ＡＢＳ、ＰＰＥ等を材料としている樹脂部品から発生している。駆動モータの発熱、装置電源の発熱、定着装置の放熱、或いは両面プリント時の熱せられた記録材による装置内昇温に起因して樹脂部品が熱に晒されると、樹脂材料に含まれる揮発性有機化合物が空気中に放出される。樹脂成分であるスチレン（沸点１４５．２℃）やベンゼン（沸点８０．１℃）といった化学物質が沸点に到達し、気体となって、図３に示す排気経路２００等を通じて室内空間に排出される。
【００４９】
そして、近年、画像形成装置の高速化、両面プリント機能の標準化が進んで筐体内の発熱量が増す一方で、画像形成装置の小型化、部品の高密度実装が進んでいる。このため、樹脂部品がいままで以上の温度に晒されるようになって、樹脂部品から発生する揮発性有機化合物の量も増える傾向にある。
【００５０】
樹脂部品から発生する揮発性有機化合物を捕集するために、活性炭を主成分とした吸着型のフィルタ素子を使用することが効果的である。吸着型のフィルタ素子は、細孔と呼ばれる細かな孔にガス状物質を物理吸着させることにより揮発性有機化合物を捕集している。上述したように、特許文献１には、トナーの融解やオイルの加熱に伴って発生するホルムアルデヒドを吸着する吸着型フィルタ素子を定着装置に設けた画像形成装置が示されている。
【００５１】
しかし、一般的に、樹脂部品はモールド成型したものが使用され、モールド成型された樹脂部品は、成型直後から微量ではあるものの揮発性有機化合物を発生し続け、その量は時間が経過するに従い減少していく傾向がある。このような樹脂部品が多く用いられた画像形成装置では、樹脂部品から発生する揮発性有機化合物の量が、使用初期から時間が経過するに従って減少していく傾向がある。
【００５２】
すなわち、樹脂部品を多く用いた画像形成装置から発生する揮発性有機化合物の量は一定ではなく、最も揮発性有機化合物の発生量が多いのは、画像形成装置が新品の場合である。特に大量の熱を発生する定着装置又は定着装置周辺のモールド部品が新品交換された後は、数日間に渡って大量の揮発性有機化合物が発生する。
【００５３】
このため、揮発性有機化合物の発生量がフィルタ素子の捕集能力を超えてしまい、一時的に、法規制の規格値を超える水準の揮発性有機化合物が室内空間へ排出される可能性がある。そこで、フィルタ素子は、そのような一時的な排出量ピークにおいても法規制の規格値を遵守できるように、想定される揮発性有機化合物の最大量を捕集できるように、高性能かつ高容量なものを搭載している。
【００５４】
しかし、定着装置又は定着装置周辺のモールド部品が新品交換されて数日間が経過すると、その後の揮発性有機化合物の排出量は激減する（図１１の（ａ）参照）。次回に同様な交換がされるまで、画像形成装置から排出される揮発性有機化合物の量は相対的に最大量の１０％から３％程度であることが実験的にわかっている。
【００５５】
ここで、フィルタ素子の揮発性有機化合物の捕集量を大きくするには、同一寿命においてはフィルタ素子の吸着面の表面積を大きくする必要がありフィルタ素子の大型化を招いて画像形成装置内への実装が困難になる。捕集性能を損なうことなく、フィルタ素子の大型化を回避しようとすると、必然的にフィルタ素子の寿命が短寿命にならざるを得なくなる。短寿命になるということは、フィルタ素子の交換頻度が増すことになり、交換の手間と、部品代が増大することを意味する。
【００５６】
そこで、以下の実施例では、画像形成装置１００の樹脂部品から発生する揮発性有機化合物が、万が一でも法規制の規定値を超える量、室内空間へ排出されることを未然に防止している。と同時に、性質の異なるフィルタを状況に応じて使い分け、揮発性有機化合物の効率的な捕集が行えるようにし、フィルタ素子の交換頻度を減らしている。
【００５７】
＜実施例１＞
図４は排気経路の斜視図である。図５は排気経路の動作の説明図である。図６は切り換え装置の説明図である。図４中、（ａ）は正面側（転写部側）から見た斜視図、（ｂ）は背面側（排出側）から見た斜視図である。
【００５８】
図４の（ａ）に示すように、定着装置１１７の内部から開口部１４７ｂを通じて排出された熱い空気は、吸入口２０１ｂを通じて排気経路２００に取り込まれる。図４の（ｂ）に示すように、定着装置１１７の内部から開口部１４７ａを通じて排出された熱い空気は、吸入口２０１ａを通じて排気経路２００に取り込まれる。排気経路２００の端部には排気ファン２０７を設けて、取り込んだ空気を筐体の背面側から強制排気している。
【００５９】
図５の（ａ）に示すように、定着装置１１７の排熱のエアフローが形成される。図５の（ａ）の向かって左側が画像形成装置１００の正面で右側が背面となる。
【００６０】
定着装置１１７のエアフローは、定着装置１１７から発生する熱が他のユニットに伝達して悪影響を及ぼすのを防ぐと同時に、定着装置１１７そのものも昇温し過ぎないようにする。これにより、定着装置１１７や定着装置１１７の周辺のモールド部品から発生する揮発性有機化合物を吸引して吸着系フィルタ２０８で吸着することで、臭気を軽減して排気する目的がある。
【００６１】
排熱ダクト２０６は、吸気口２０６ａから外気を吸い込み、排気ファン２０７により背面に排気する。排熱ダクト２０６の途中にある定着装置１１７からは上方に熱せられた空気が揮発性有機化合物と共に排出され、排熱ダクト２０６内の空気と合流して画像形成装置１００の背面方向に移動する。
【００６２】
定着装置１１７と排熱ファン２０７との間には第２の排気経路の一例である分岐ダクト２０６ｂと第１の排気経路の一例である分岐ダクト２０６ｃの２系統の分岐がある。分岐ダクト２０６ｂには活性炭の吸着作用を利用した第２のフィルタ手段の一例である吸着系フィルタ２０８が設けられ、分岐ダクト２０６ｃには触媒作用を利用した第１のフィルタ手段の一例である触媒系フィルタ２０９が設けられている。
【００６３】
図６に示すように、分岐ダクト２０６ｂ、２０６ｃの一方をエアフロー切り換え弁２１３が遮蔽することで、排気経路２００を流れるエアフローが切り換えられる。二系統の分岐ダクト２０６ｂ、２０６ｃは、エアフロー切り換え弁２１３により選択的にどちら一方にのみ空気が流れるように構成されている。エアフロー切り換え弁２１３がＡの位置にある場合は、定着装置（１１７）を通った空気は分岐ダクト２０６ｂにのみ流れ、エアフロー切り換え弁２１３がＢの位置にある場合は、定着装置１１７を通った空気は分岐ダクト２０６ｃにのみ流れる。
【００６４】
切り換え機構の一例であるエアフロー切り換え弁２１３は、駆動モータ２１０によりギア列２１０ａ、２１０ｂを介して位置Ａと位置Ｂとを切り換えられる。エアフロー切り換え弁ポジションセンサ（フォトインタラプタ）２１３Ｌ、２１３Ｔは、エアフロー切り換え弁２１３がＡの位置にある場合とＢの位置にある場合とで出力を反転させる。
【００６５】
＜フィルタ素子＞
図７は吸着系フィルタと触媒系フィルタの性能比較の説明図である。実施例１では、吸着系フィルタ２０８と触媒系フィルタ２０９のいずれも東洋紡績株式会社製の市販品を用い、吸着系フィルタ２０８には型番ＮＰＢシリーズの活性炭フィルタを採用し、触媒系フィルタ２０９には型番ＣＡＯシリーズの触媒フィルタを用いた。ただし、活性炭フィルタは、ＮＢ、ＮＰＢ、ＵＰＢ、ＷＰＢのいずれでも必要な性能が得られ、触媒フィルタは、ＣＡＯ、ＣＢＯ、ＣＢＯ−Ｍのいずれでも揮発性有機化合物に対する必要な性能が得られた。これらのフィルタ素子の用途、組成、性能、寿命、具体的な使用方法等については、例えば同社の下記のホームページに詳しい説明が公開されている。また、特許文献２にも触媒系フィルタ素子と吸着系フィルタ素子に関する具体的な説明が記載されている。
ｈｔｔｐ：／／ｗｗｗ．ｔｏｙｏｂｏ．ｃｏ．ｊｐ／ｓｅｉｈｉｎ／ａｃ／ｆｉｌｔｅｒ／ｍａｔｅｒｉａｌ／ｃａｔａｌｙｓｔ／ｉｎｄｅｘ．ｈｔｍ
【００６６】
図７に示すように、一般的な活性炭フィルタと触媒フィルタの定性的な違いについて説明すると、活性炭フィルタの特徴は、大量の揮発性有機化合物を短時間に吸着できることである。しかし、活性炭フィルタのＶＯＣ吸着性能を長時間維持するためには、フィルタ素子の表面積を大きくしなければならないため、フィルタ素子を大型化する必要がある。
【００６７】
一方、触媒作用を利用した触媒フィルタの特徴は、吸着性能の低下率が活性炭を利用したものと比べて少ないことである。ただし、吸着量の絶対量は活性炭フィルタよりも少なく、同じ大きさの活性炭フィルタと比べると単位時間当たりのＶＯＣ吸着量は少ない。また、ＶＯＣ吸着性能の低下率は少ないが、フィルタ表面へのゴミや粘着物質などの付着により経時的に吸着性能は落ちていく。
【００６８】
そこで、実施例１では、定着装置１１７の交換又は周囲の部品交換がされて大量の揮発性有機化合物が発生する期間は、分岐ダクト２０６ｂを通じたエアフローを形成して吸着系フィルタ２０８でＶＯＣ除去を行う。
【００６９】
図２に示すように、定着装置１１７の交換後又は周囲の部品交換後、操作パネル３０８を操作して定着装置１１７を起動すると、制御部９５０は、エアフロー切り換え弁２１３を作動させて分岐ダクト２０６ｂを開く。
【００７０】
そして、大量の揮発性有機化合物が発生する期間を過ぎると、分岐ダクト２０６ｃを通じたエアフローを形成して触媒系フィルタ２０９でＶＯＣ除去を行う。具体的には、定着装置１１７の累積加熱時間が１００時間に達すると、エアフロー切り換え弁２１３を作動させて分岐ダクト２０６ｃを開く。これにより、エアフロー切り換え弁２１３が吸着系フィルタ２０８をエアフローから遮蔽して、ＶＯＣ吸着性能を次回の定着装置１１７の交換又は周囲の部品交換がされるまで温存させる。このため、画像形成装置１００内で発生するＶＯＣを吸着するための吸着系フィルタ２０８の交換頻度が低減される。
【００７１】
＜実施例２＞
図８は画像形成装置の制御系の構成を示すブロック図である。図９はエアフロー制御系の構成を示すブロック図である。図１０は実施例２の制御のフローチャートである。図１１は実施例２の制御の効果の説明図である。
【００７２】
実施例２の制御では、画像形成装置１００において、制御部９５０は、定着装置１１７の交換を温度ヒューズ２１１により検出して、自動的にエアフロー切り換え弁２１３を制御する。
【００７３】
図１を参照して図８に示すように、制御部９５０は、制御回路部３０５を有する。そして、制御回路部３０５は、ＲＯＭ３０６、ＲＡＭ３０７を内蔵し、ＲＯＭ３０６に格納されている制御プログラムにより各ブロック（３０１、３０２、３０３、３０４、３０８、５０１）を総括的に制御する。ＲＡＭ３０７は、制御データを一時的に保持し、また制御に伴う演算処理の作業領域として用いられる。
【００７４】
原稿給送装置制御部３０１は、原稿給送装置１３０を制御回路部３０５からの指示に基づき駆動制御する。イメージリーダ制御部３０２は、原稿読取装置２０の駆動制御を行って、イメージセンサ１０９から出力された画像信号を画像信号制御部３０３に転送する。
【００７５】
画像信号制御部３０３は、イメージセンサ１０９からの画像信号に各種処理を施し、デジタル信号をビデオ信号に変換してプリンタ制御部３０４に出力する。画像信号制御部３０３による処理動作は、制御回路部３０５により制御される。
【００７６】
操作パネル３０８は、画像形成に関する各種機能を設定する複数のキー、設定状態を示す情報を表示するための液晶表示部などを有する。操作制御部３０８ａは、各キーの操作に対応するキー信号を制御回路部３０５に出力するとともに、制御回路部３０５からの信号に基づき、対応する情報を、操作パネル３０８の液晶表示部に表示する。
【００７７】
図９に示すように、プリンタ制御部３０４は、ＣＰＵ３２０、ＲＡＭ３２１、ＲＯＭ３２２等で構成されるＣＰＵ回路部３１０を有する。ＣＰＵ回路部３１０からの指示に基づき、ＲＯＭ３２２に格納されている各種プログラムを実行して画像形成装置１００のプリンタ部を動作させる。その動作の中に定着装置１１７の排熱エアフロー関連の制御がある。
【００７８】
排熱エアフロー関連の制御を行う場合、ＣＰＵ回路部３１０に各種センサから検出信号が入力される。各種センサの検出信号としては、定着装置１１７の新品検出信号、エアフロー切り換え弁ポジション検出信号、排気ファン２０７の回転検出信号がある。ＣＰＵ回路部３１０には、ドライバが接続されており、ＣＰＵ回路部３１０からの信号に基づいて、各種モータ、ソレノイド、及びクラッチを駆動させる。各種モータとしては、エアフロー切り換え弁２１３の駆動モータ２１０と排気ファン（ファンモータ）２０７がある。
【００７９】
また、ユニットカウンタ３３０は、制御部９５０内部にあるＮＶＲＡＭ（不揮発メモリ）に蓄積された記憶データからなり、定着装置１１７の新品時からの通紙枚数を記憶している。画像形成装置１００が１面プリントするたびに通紙枚数を１枚ずつ増やして記憶する。
【００８０】
図２に示すように、定着装置１１７には、定着装置１１７の未使用を検出する未使用検出センサとして、最初の起動時に溶断する温度ヒューズ２１１が付設されている。検出手段の一例は、温度ヒューズ２１１の導電状態を検出する回路である。
【００８１】
プリンタ制御部３０４は、温度ヒューズ２１１の導電状態を検出して新品か否かを判断する。温度ヒューズ２１１は、定着装置１１７の定着ローラ１４１の近傍に配置され、電源投入時または前ドアクローズなど定着装置１１７の交換の可能性がある場合に、温度ヒューズ２１１の電気回路に電流が流される。
【００８２】
そして、プリンタ制御部３０４は、温度ヒューズ２１１の電気回路に電流が流れれば、交換等されて新品であると判断する。定着装置１１７が初回に作動してハロゲンランプヒータ１４２による加熱を行うと、温度ヒューズ２１１が切れるため、温度ヒューズ２１１の回路に電流が流れなければ、使用済品と判断する。
【００８３】
電流が流れて新品判断がされると、プリンタ制御部３０４は、ユニットカウンタ３３０を０にリセットする。ユニットカウンタ３３０は、各交換ユニット、例えば感光ドラム１１１や定着装置１１７など寿命の定められているユニットについて、その使用回数として通紙枚数や、使用時間、回転数などを記憶する。プリンタ制御部３０４は、定着装置１１７が新品であることを検知すると、ユニットカウンタ３３０をリセットし、次に新品状態が検知されるまで、累積の使用回数をカウントし続けるものである。
【００８４】
図２を参照して図１０に示すように、定着装置１１７の新品検出結果に基づく排熱エアフローのダクト切り換え制御が実行される。
【００８５】
制御部９５０は、画像形成装置１００の電源投入（パワーオン）又はカバー閉じ（カバークローズ）がされると（Ｓ１１）、温度ヒューズ２１１の断線状態をチェックする（Ｓ１２）。温度ヒューズ２１１が導通状態であれば、エアフロー切り換え弁２１３を作動させて分岐ダクト２０６ｂを開いて、最初の起動で発生する高濃度の揮発性有機化合物を吸着系フィルタ２０８で吸着させるように準備する。
【００８６】
制御部９５０は、温度ヒューズ２１１が断線状態であれば（Ｓ１２のＹＥＳ）、ユニットカウンタ３３０内に記憶されている定着装置１１７の累積定着回数（プリント枚数）の値が所定の枚数を超えているか否かをチェックする（Ｓ１３）。
【００８７】
ここで、所定の枚数とは、定着装置１１７が発生する揮発性有機化合物の発生量が触媒系フィルタ２０９でも十分吸着できる量になるまでの累積画像形成枚数のことで、実験的に求められた値を参考に決められる。この値よりも定着装置１１７の累積画像形成枚数が少なければ新品状態であり、多ければ揮発性有機化合物の発生量が少なくなった状態である。実施例２では、定着装置１１７の使用開始後、フィルタ素子の切り換えを実行するまでの所定枚数を１２．５万枚とした。
【００８８】
制御部９５０は、定着装置１１７の使用枚数の値が所定の値未満であれば（Ｓ１３のＹＥＳ）、エアフロー切り換え弁２１３を作動させて分岐ダクト２０６ｂを開く（Ｓ１４Ｂ）。定着装置１１７が新品状態で、揮発性有機化合物の発生量が多いため、より多くの揮発性有機化合物を吸着できる吸着系フィルタ２０８を排熱ダクト２０６のエアフローの空気が経由するようにする。
【００８９】
制御部９５０は、定着装置１１７の使用枚数の値が所定の枚数を超えていれば（Ｓ１３のＮＯ）、分岐ダクト２０６ｃを開いたままにしておく（Ｓ１４Ａ）。定着装置１１７が新品状態を終えて揮発性有機化合物の発生量が減少した状態なので、ＶＯＣ除去性能が低い触媒系フィルタ２０９でも、排気ファン２０７から排出される排気の揮発性有機化合物のレベルを低く維持できるからである。
【００９０】
制御部９５０は、定着装置１１７の交換後、温度ヒューズ２１１が未断線状態であれば、定着装置１１７のヒーター制御を行い（Ｓ１６）、温度ヒューズ２１１の断線を検知し続ける（Ｓ１７）。定着装置１１７における定着ローラ１４１の温度が上昇して温度ヒューズ２１１が溶断すると（Ｓ１７のＹＥＳ）、制御部９５０は、ユニットカウンタ３３０に記憶されている定着装置１１７の使用枚数を消去して０からカウントを開始させる（Ｓ１５）。
【００９１】
制御部９５０は、その後、温度ヒューズ２１１をチェックする処理に戻り、上述の動作をくり返す。
【００９２】
実施例２の制御では、揮発性有機化合物発生量を推測するための定着装置１１７の使用枚数をカウントし、その枚数に応じてエアフローを切り換える。これにより、吸着系フィルタ２０８と触媒系フィルタ２０９という２種類の特性の異なるフィルタ素子を使い分け、フィルタ素子の特性を有効に使い、フィルタ素子の交換頻度を減らすことができる。
【００９３】
図１１の（ａ）に示すように、通常、定着装置１１７は５０万枚程度の一定枚数ごとに定期的に交換される。図１１の（ａ）は、縦軸が揮発性有機化合物の発生量で横軸が定着装置の使用枚数である。この場合、揮発性有機化合物の発生量も５０万枚毎に多くなる。このような発生推移において、従来は、ＶＯＣの除去を行うために、活性炭フィルタを用いた吸着系フィルタを１００万枚ごとに交換していた。
【００９４】
実施例２では、上述したように、定着装置１１７の交換後、１２．５万枚の画像形成が行われると、吸着系フィルタ２０８をエアフローから遮蔽して揮発性有機化合物の吸着が進まないようにする。従って、定着装置１１７の交換時から従来と同じ吸着系フィルタ２０８を１２．５万枚使用し、その後は、５０万枚で定着装置１１７が交換されるまで触媒系フィルタを３７．５万枚使用する。そして、定着装置１１７が交換されると、再び吸着系フィルタ２０８が１２．５万枚使用され、１２．５万＋３７．５万枚のサイクルが繰り返される。
【００９５】
このため、従来と同じく吸着系フィルタ２０８が１００万枚の寿命で、触媒系フィルタ２０９が３００万枚の寿命とすると、吸着系フィルタ２０８の交換回数を、従来は４回交換していたものを１回にすることができる。  実施例２の制御によれば、活性炭系のＶＯＣフィルタと触媒系のＶＯＣフィルタの特性を活かすように使用するフィルタを切り換えることで、活性炭系のＶＯＣフィルタの交換頻度を減らすことができる。また、使用するＶＣＯフィルタの数も従来は４００万枚の使用で４個必要だったものが、本発明によれば２個で済み、ランニングコスト低減にも貢献する。
【００９６】
画像形成装置１００の耐久寿命４００万枚において、耐久寿命が５０万枚の定着装置１１７は８回交換される。吸着系フィルタ２０８の耐久寿命は１００万枚であるが、各回の交換後に１２．５万枚の画像形成を行うため、１２．５万枚×８＝１００万枚で耐久寿命に収まり、交換は不要である。一方、触媒系フィルタ２０９の耐久寿命は３００万枚であって、各回の交換後に３７．５万枚の画像形成を行うことで、３７．５万枚×８＝３００万枚で耐久寿命に収めることができ、交換は不要である。
【００９７】
＜実施例３＞
図１２は実施例３のフィルタ切り換え装置の構成の説明図である。図１２に示すように、実施例５の排気経路２００は、図１に示す画像形成装置１００に装備され、吸着系フィルタ２０８と触媒系フィルタ２０９の切り換え機構以外は図２に示す実施例１と同様に構成される。従って、定着装置１１７及び排気経路２００を模式的に示し、図２と共通する構成には図２と共通の符号を付して重複する説明を省略する。
【００９８】
画像形成装置１００は、像加熱装置（１１７）に加熱された空気を取り込んで機体外へ案内する排気経路２００を備える。第１のフィルタ手段（２０９）は、排気経路２００を流れる空気に接触可能に配置されて当該空気中の異臭物質を触媒作用により分解する。第２のフィルタ手段（２０８）は、排気経路２００を流れる空気に接触可能に配置されて当該空気中の異臭物質を活性炭の吸着作用により吸着する。遮蔽手段（２１３Ａ、２１３Ｂ）は、第１のフィルタ手段（２０９）を排気経路２０６に位置させた際には、排気経路２００を流れる空気から第２のフィルタ手段（２０８）を遮蔽可能である。そして、第２のフィルタ手段（２０８）を遮蔽した状態で、第１のフィルタ手段（２０９）による異臭物質の除去を実行可能である。
【００９９】
図１２の（ａ）に示すように、触媒系フィルタ２０９と吸着系フィルタ２０８は、スライダ２１３Ａに固定されて、排熱ダクト２０６へ引き出し可能である。駆動モータ２１０がピニオン２１０ｃを回転させてラックギア２１０ｄを往復移動させることにより、触媒系フィルタ２０９と吸着系フィルタ２０８が切り換えられる。
【０１００】
実施例３では、触媒系フィルタ２０９と吸着系フィルタ２０８とを切り換えて排気経路２０６に位置させることにより、排気経路２００を流れる空気から異臭物質を除去する。そして、実施例２と同様に、定着装置１１７の交換後、１２．５万枚までは、遮蔽空間２１３Ｂから吸着系フィルタ２０８を引き出して排熱ダクト２０６に位置させて、排気から揮発性有機化合物を除去する。
【０１０１】
しかし、定着装置１１７の交換後、画像形成の累積枚数が１２．５万枚に達すると、図１２の（ｂ）に示すように、触媒系フィルタ２０９を排熱ダクト２０６に引き出すとともに遮蔽空間２１３Ｂに吸着系フィルタ２０８を引き込む。そして、１２．５万枚から次回に定着装置１１７が交換される５０万枚までの３７．５万枚については、触媒系フィルタ２０９を用いて、排気から揮発性有機化合物を除去し、その間、吸着系フィルタ２０８は、排気経路２００を流れる空気に接触させない。
【０１０２】
すなわち、像加熱装置（１１７）は、像加熱装置（１１７）の運転に伴って加熱される部材を含む。制御手段（９５０）は、像加熱装置（１１７）の運転に伴って加熱される部材が交換されると、遮蔽手段（２１３Ａ、２１３Ｂ）を制御して、少なくとも部材が交換された後の起動時に、排気経路２０６を流れる空気に第２のフィルタ手段（２０８）を接触させる。
【０１０３】
＜その他の実施例＞
実施例１では、モノクロ画像形成装置の実施例を説明したが、実施例１〜３のフィルタ切り換え装置及び切り換え制御は、複数の画像形成部を備えるタンデム型フルカラー画像形成装置でも実施可能である。タンデム型フルカラー画像形成装置は、記録速度を速く設定できることから一般的なカラー画像形成装置の構成となっている。
【０１０４】
実施例４の画像形成装置は、複数の画像形成部を備え、各画像形成部でそれぞれ色の異なったトナー像を形成し、記録材担持体によって担持搬送される同一記録材上に前記各色トナー像を順次重ね合わせて転写してカラー画像を形成する。
【０１０５】
実施例５の画像形成装置は、各色トナー像を中間転写体に順次重ね合わせて転写し、中間転写体に重ね合わせて転写されたトナー像を記録材に一括転写してカラー画像を形成する。
【０１０６】
これらのタンデム型フルカラー画像形成装置においても、定着装置近傍の空気を吸引して筐体外に排気するエアフローに、吸引した空気に含まれるＶＯＣを吸着する吸着系フィルタと吸着後に化学的に分解する触媒系フィルタとを設置することができる。そして、定着装置の交換後の所定期間について吸着系フィルタ素子を使用し、その後は次回の交換まで触媒系フィルタを使用することで、吸着系フィルタの交換寿命を引き延ばすことができる。
【符号の説明】
【０１０７】
１１７  定着装置
２０６  定着排熱ダクト
２０７  定着排気ファン
２０８  吸着系フィルタ
２０９  触媒系フィルタ
２１０  駆動モータ
２１２  温度ヒューズ
２１３  エアフロー切り換え弁
３３０  ユニットカウンタ
９５０  制御部
【図１】
2011095629.tif 000003
【図２】
2011095629.tif 000004
【図３】
2011095629.tif 000005
【図４】
2011095629.tif 000006
【図５】
2011095629.tif 000007
【図６】
2011095629.tif 000008
【図７】
2011095629.tif 000009
【図８】
2011095629.tif 000010
【図９】
2011095629.tif 000011
【図１０】
2011095629.tif 000012
【図１１】
2011095629.tif 000013
【図１２】
2011095629.tif 000014